(57)【要約】      （修正有）【課題】経頭蓋磁気刺激（ＴＭＳ）の治療部位のターゲット座標を素早く正確に特定する、眼鏡フレーム型頭部座標測定器を提供する。【解決手段】フロントバー７部前面に、プラスチック製または金属製の半円型分度器１を弧の部分を下向きに２点以上のビス６と接着剤で固定し、当該半円型分度器の背面中心部５（被装着者の眉間中央付近を覆う位置）にナイロン等製の巻き尺メジャー４を原点（０ｍｍ）位置かつ帯幅の中心でビス留めし、分度器表側から当該ビス上に角度調節用のつまみ３を被せる。当該つまみの片側先端部には分度器の角度目盛りを指し示す金属製ピン２を取り付ける。巻き尺および角度調節用つまみはビスを軸として一体となって回転するように取り付け、被装着者の頭部に装着することによって、素早くターゲット座標を特定する。【選択図】図１
0003234844.tif 000002
【実用新案登録請求の範囲】
【請求項１】
頭部に磁気を当てて行うTMS治療（経頭蓋磁気刺激治療）等において、初回は的確な治療部位を特定するため、通常の巻き尺メジャーを利用し患者の頭部のサイズを測定、算出し、頭部の治療部位ターゲットを決定、マーキングし、眉間からの角度と距離を測定し、そのマーキングした治療部位ターゲットを座標として診療所のカルテに記録するが、本眼鏡フレーム型頭部座標測定器は、実用新案登録第3191368号  頭部寸法測定器のフロントバー部前面に、プラスチック製または金属製の半円型分度器を弧の部分を下向きに２点以上のビスと接着剤で固定し、当該半円型分度器の背面中心部にナイロン等製の巻き尺メジャーを原点位置かつ帯幅の中心でビス留めし、分度器表側から当該ビス上に、中央を繰り抜いた円形ゴムパッキンと当該ゴムパッキン上に角度調節用のつまみを被せ、当該つまみの片側先端部には分度器の角度を指し示す金属製ピンを取り付け、巻き尺および角度調節用つまみはビスを軸として一体となって回転するように取り付け、即座に治療部位ターゲット座標を特定できる眼鏡フレーム型頭部座標測定器。
【考案の詳細な説明】
【技術分野】
【０００１】
この考案は、うつ病等治療のための頭部に磁気を当てて行うTMS治療（経頭蓋磁気刺激治療）で、初回治療準備時に導き出した磁気刺激の治療部位ターゲットを座標として計測・記録するため、また２回目以降の治療時にターゲット座標を即座に探し当て、TMS治療の準備をスムーズに行うための測定器に関するものである。
【背景技術】
【０００２】
TMS治療で、初回は的確な治療部位を同定するため、通常の巻き尺メジャーを利用し患者の頭部のサイズを鼻根点、耳珠、後頭部隆起、眉間等を基点として測定し、患者の頭部の治療部位ターゲットを決定、マーキングし、その後、別室に患者を移動させ、レーザーシステム機器でそのマーキングされたターゲット座標を記録して、診療所カルテにも同座標を記録していた。
【０００３】
２回目以降の治療では、まず別室のレーザーシステムでターゲット座標をマーキングしてから、TMS治療室に患者を移動させて治療を開始していたが、別室のレーザーシステムが混んでいると、そのための待ち時間も生じ、TMS治療開始までの準備に１０分以上かかることもあり、TMS治療を開始するまでの準備時間を短縮し、患者の移動等の負担を軽減する必要があった。
【先行技術文献】
【特許文献】
【０００４】
【特許文献１】実用新案登録第3191368号  公報
【考案の概要】
【考案が解決しようとする課題】
【０００５】
従来はTMS治療の開始前に操作者が、レーザーシステムで治療部位のターゲット座標を確認してから、治療室に患者を移動させて、患者の頭部にTMS機器をセットし治療開始となっていたが、TMS治療開始までに患者に余計な移動や待ちの物理的、時間的な負担をかけてしまっていた。
【課題を解決するための手段】
【０００６】
この現状に鑑み、眼鏡フレーム型の頭部寸法測定器に、分度器を固定し、さらに当該分度器上に巻き尺メジャーを角度調節可能な状態で固定した本考案製品を患者の頭部に装着させることにより、別室のレーザーシステムを使用することなく、治療部位のターゲット座標を素早く特定し、患者は移動することなく治療が受けられ、TMS治療の準備をスムーズにするために本考案として提案するものである。
【０００７】
本眼鏡フレーム型頭部座標測定器（以下、本考案製品という。）は、実用新案登録第3191368号  頭部寸法測定器（実用新案権者591097458株式会社ハセガワ・ビコーは、本眼鏡フレーム型頭部座標測定器の製作依頼先であり、実用新案登録第3191368号の使用許諾済み）のフロントバー部前面に、プラスチック製または金属製の半円型分度器を弧の部分を下向きに２点以上のビスと接着剤で固定し、当該半円型分度器の背面中心部（被装着者の眉間中央付近に対応する位置）にナイロン等製の巻き尺を原点（０mm）位置かつ帯幅の中心でビス留めし、分度器表側から当該ビス上に、中央を繰り抜いた円形ゴムパッキンと当該ゴムパッキン上に角度調節用のつまみを被せる。当該つまみの片側先端部には分度器の角度目盛りを指し示す金属製ピンを取り付ける。巻き尺および角度調節用つまみはビスを軸として一体となって回転するように取り付ける。当該つまみはゴムパッキンとの摩擦力によって角度を固定できる。
【０００８】
初回治療時に操作者は、TMS治療室にて、患者の左右こめかみ付近に髪の毛をかき分けて頭皮地肌に治療部位ターゲットを決定しマーキングするが、その後、被装着者の鼻と両耳にそれぞれノーズパッド、テンプルエンドを掛けて、ヨロイ部、テンプル部をスライドし調節し装着フィットさせ、マーキングした治療部位ターゲットに、分度器上の角度調節つまみで角度を合わせて、巻き尺メジャーを当ててから、分度器上の角度目盛りの金属製ピンを読み、巻き尺メジャーで距離の目盛りを読み、ターゲット座標として診療所のカルテに記録する。
【０００９】
２回目以降の治療では、TMS治療室にて、患者に本眼鏡フレーム型頭部座標測定器を装着し、患者（被装着者）の左右こめかみ付近の髪の毛をかき分けて頭皮地肌に、磁気刺激ターゲット座標を、分度器上の角度目盛りに角度調節つまみで金属製ピンを合わせ、巻き尺メジャーで距離を測り、１分程度の所要時間で素早くターゲット座標を特定、マーキングすることによりTMS治療の準備時間の短縮し、移動の手間を省き、問題点を解決している。
【考案の効果】
【００１０】
上述のように、本考案製品を使用することにより、TMS治療等で、初回の治療準備時に導き出した治療部位のターゲットを座標として測定、記録し、また２回目以降の治療準備時にも、即座に座標を特定でき、治療等の準備をスムーズに行い、患者の時間的、物理的、心理的な負担を減らすことができる。
【図面の簡単な説明】
【００１１】
【図１】本考案製品の実施例の正面上方からの図（一部透視図）
【考案を実施するための形態】
【００１２】
本考案製品は、患者の頭部TMS治療部位ターゲットを座標として測定、記録、再現するために、眼鏡フレーム様の装着具として実用新案登録第3191368号  頭部寸法測定器（実用新案権者591097458株式会社ハセガワ・ビコーは、本考案製品の製作依頼先であり、実用新案登録第3191368号の使用許諾済み）のフロントバー部前面に、プラスチック製または金属製の半円型分度器を弧の部分を下向きに２点以上のビスと接着剤で固定し、当該半円型分度器の背面中心部（被装着者の眉間中央付近を覆う位置）にナイロン等製の巻き尺を原点（０mm）位置かつ帯幅の中心でビス留めし、分度器表側から当該ビス上に角度調節用のつまみを被せる。当該つまみの片側先端部には分度器の角度目盛りを指し示す金属製ピンを取り付ける。巻き尺および角度調節用つまみはビスを軸として一体となって回転するように取り付ける。操作としては、分度器上の角度調節つまみで角度を合わせ、当該つまみに一体となって動くよう取り付けられた巻き尺メジャーで距離を測るだけで容易にターゲット座標を特定できる形態となっている。
【実施例１】
【００１３】
図１は本考案製品の正面上方からの図であるが、眼鏡フレーム様のフロント部・テンプル部等については実用新案登録第3191368号  頭部寸法測定器において記されていることから省略する。
【００１４】
フロントバー7部前面に、プラスチック製または金属製の半円型分度器1を弧の部分を下向きに２点以上のビス6と接着剤で固定し、当該半円型分度器の背面中心部5（被装着者の眉間中央付近に対応する位置）にナイロン等製の巻き尺メジャー4を原点（０mm）位置かつ帯幅の中心でビス5留めし、分度器表側から当該ビス上に角度調節用のつまみ3を被せる。当該つまみの片側先端部には分度器の角度目盛りを指し示す金属製ピン2を取り付ける。巻き尺および角度調節用つまみはビスを軸として一体となって回転するように取り付ける。
【００１５】
患者への装着は操作者が、フロント部、テンプル部を十分に広げて、患者の両耳と鼻の位置にフィットするようフロント部、テンプル部の長さを調整しながら、それぞれ耳掛け部11と鼻掛け部10を載せ装着させる。
【００１６】
本考案品を患者（以下、被装着者という。）の両耳と鼻にフィットさせた後、初回の治療時にあっては、予め算出しマーキングされた左右こめかみ上部付近の治療部位ターゲットに向けて、角度調節つまみ3で角度を合わせて、巻き尺メジャー4を伸ばし、マーキングされたターゲットにメジャーの目盛り側の辺が接するように合わせる。この時メジャーを捻じれたり、たるんだりすることのないよう緊張させて位置を固定し、メジャーの目盛りをmm単位で読み、カルテに記録する。分度器上の金属製ピンの指示する角度目盛りも同様に１度単位で読み記録する。こうすることによって被装着者の眉間付近に位置する本考案品の回転軸となるビス5の位置を原点として角度と距離でターゲット座標を特定し、マーキングすることができる。（その後、本考案品を外し、TMS機器をセットし、治療を開始する。）
【００１７】
２回目以降の治療時においては、被装着者に本考案品を装着し、分度器の角度を合わせ、メジャーをこみかみ方向に伸ばし、メジャーの捻じれ等のないことを確認しながら、メジャーを緊張させた状態で、カルテに記録されたターゲット座標にマーキングする。（その後、本考案品を外し、TMS機器をセットし、治療を開始する。）
【符号の説明】
【００１８】
１    分度器
２    角度を指示する金属製ピン
３    角度調節つまみ
４    巻き尺メジャー
５    回転軸となるビス
６    分度器をフロントバーに固定するビス
７    フロントバー
８    テンプルバー
９    プッシュロッド
１０    鼻掛け部
１１    耳掛け部
【図１】
0003234844.tif 000003
【手続補正書】
【提出日】令和3年9月3日(2021.9.3)
【手続補正１】
【補正対象書類名】実用新案登録請求の範囲
【補正対象項目名】請求項１
【補正方法】変更
【補正の内容】
【請求項１】
本眼鏡フレーム型TMS磁気刺激位置測定器（以下、本考案品という。）は、頭部に磁気を当てて行うTMS治療において、初回、巻き尺メジャーで患者の頭部のサイズを測定、算出し、頭部の左右こめかみ付近の治療部位ターゲットを決定、マーキングした治療部位ターゲットを、眉間中央からの角度と距離を治療部位ターゲット座標として記録するため、また２回目以降の治療時に即座に当該治療部位ターゲット座標を再現するため、眼鏡フレームの形態を模し、眼前に位置するフロント部と当該フロント部の左右両端から後方に延設され、頭部側面に位置するテンプル部があり、フロント部は中空筒状をなし、下面中央に鼻掛け部が取付けられたフロントバーと、当該フロントバーの両端開口部からその内部に基部がスライド自在に挿入されており、基部に内蔵されたコイルバネの付勢力に抗して外側方向に引出せるようになっており、患者（装着者）の耳に耳掛け部を掛けて固定することによって引出し位置を固定できる様になっていると共に、左右の基部両端のヨロイとから構成されており、テンプル部は、前端側が前記ヨロイに固定された中空筒状のテンプルバーと、当該テンプルバーの後端開口部からその内側に挿入され、筒状内部に内蔵されたコイルバネの付勢力に抗して後方に引出せる様になっていると共に、前記同様に装着者の耳に耳掛け部を掛けて固定することで引出し位置を固定できる様になっており、前端にはテンプルバーから突き出すように軸心方向に向ってプッシュロッドが突設されており、このプッシュロッドを押すことにより後方側にスライドさせられる様になっており、棒状のテンプルとからなっていることを特徴とする本考案品のフロントバー部前面に、プラスチック製または金属製の半円型分度器を弧の部分を下向きに２点以上のビスと接着剤で固定し、当該半円型分度器の背面中心部にナイロン等製の巻き尺メジャーを原点位置かつ帯幅の中心でビス留めし、分度器表側から当該ビス上に、中央を繰り抜いた円形ゴムパッキンと当該ゴムパッキン上に角度調節用のつまみを被せ、当該つまみの片側先端部には分度器の角度を指し示す金属製ピンを取り付け、巻き尺および角度調節用つまみはビスを軸として一体となって回転するように取り付け、装着者の眉間中央からの角度と距離で、治療部位ターゲット座標を特定できる眼鏡フレーム型TMS磁気刺激位置測定器。